(57)【要約】【課題】複数の機器を用いて多くの電力を負荷に供給すると共に、発電装置で発電した電力を系統電源に逆潮流させることができる電力供給システムを提供する。【解決手段】系統電源Ｓと複数の住宅Ｈとの間に接続される蓄電装置２０と、所定量の電力を発電可能であって系統電源Ｓと複数の住宅Ｈとの間において蓄電装置２０よりも系統電源Ｓ側に接続される燃料電池１０と、系統電源Ｓと燃料電池１０との間を流れる電力を検出する監視用センサ４０と、監視用センサ４０の検出結果に基づいて蓄電装置２０を制御するＥＭＳ５０又は蓄電装置２０の制御部と、を具備するものである。【選択図】図４
2018057152.tif 000002
【特許請求の範囲】
【請求項１】
系統電源と負荷との間に接続される蓄電装置と、
所定量の電力を発電可能であって前記系統電源と前記負荷との間において前記蓄電装置よりも前記系統電源側に接続される発電装置と、
前記系統電源と前記発電装置との間を流れる電力を検出する検出部と、
前記検出部の検出結果に基づいて前記蓄電装置を制御する制御部と、
を具備する、
電力供給システム。
【請求項２】
前記蓄電装置は、複数設けられると共に、充電を行う充電モード及び充放電を行わない停止モードを含む動作モードを実行可能に構成され、
前記制御部は、
各蓄電装置の充電量を積算した積算充電量を算出すると共に、算出した前記積算充電量に基づいて複数の前記蓄電装置が順番に充電を行う場合の充電優先順位を決定し、
前記検出部が前記系統電源側へ流れる電力を検出した場合に、
前記充電優先順位が最上位の前記蓄電装置を前記充電モードに設定し、それ以外の前記蓄電装置を前記停止モードに設定する、
請求項１に記載の電力供給システム。
【請求項３】
前記制御部は、
前記充電優先順位が最上位の前記蓄電装置を前記充電モードに設定した後、
前記検出部が前記系統電源へ流れる電力を検出した場合に、
前記停止モードに設定された前記蓄電装置を、決定した前記充電優先順位に基づいて前記充電モードに変更する、
請求項２に記載の電力供給システム。
【請求項４】
前記制御部は、
複数の前記蓄電装置の充電量に関する充電量情報を取得し、
取得した前記充電量情報に基づいて、満充電である前記蓄電装置を前記充電優先順位の設定から除外する、
請求項２又は請求項３に記載の電力供給システム。
【請求項５】
前記蓄電装置が実行可能な前記動作モードは、放電を行う放電モードを含み、
前記制御部は、
前記各蓄電装置の放電量を積算した積算放電量を算出すると共に、算出した前記積算放電量に基づいて複数の前記蓄電装置が順番に放電を行う場合の放電優先順位を決定し、
前記検出部が前記発電装置側へ流れる電力を検出した場合に、
前記放電優先順位が最上位の前記蓄電装置を前記放電モードに設定し、それ以外の前記蓄電装置を前記停止モードに設定する、
請求項２から請求項４までのいずれか一項に記載の電力供給システム。
【請求項６】
前記制御部は、
前記放電優先順位が最上位の前記蓄電装置を前記放電モードに設定した後、
前記検出部が前記発電装置側へ流れる電力を検出した場合に、
前記停止モードに設定された前記蓄電装置を、決定した前記放電優先順位に基づいて前記放電モードに変更する、
請求項５に記載の電力供給システム。
【請求項７】
前記制御部は、
複数の前記蓄電装置の充電量に関する充電量情報を取得し、
取得した前記充電量情報に基づいて、放電不能な前記蓄電装置を前記放電優先順位の設定から除外する、
請求項５又は請求項６に記載の電力供給システム。
【発明の詳細な説明】
【技術分野】
【０００１】
本発明は、蓄電装置と発電装置とを具備する電力供給システムの技術に関する。
【背景技術】
【０００２】
従来、蓄電装置と発電装置とを具備する電力供給システムの技術は公知となっている。例えば、特許文献１に記載の如くである。
【０００３】
特許文献１に記載の電力供給システムは、蓄電池や太陽光発電部等を有する蓄電池システム（蓄電装置）と燃料電池とを具備する。蓄電池システム及び燃料電池は、系統電源と負荷との間に接続される。また、蓄電池システムは、発電装置よりも系統電源側に配置される。
【０００４】
このような構成により、蓄電池システムからの電力を負荷に供給可能であると共に、負荷の消費電力に対して前記蓄電池システムからの電力が不足する場合には、負荷追従運転によって燃料電池が発電した電力を当該負荷に供給することができる。すなわち、特許文献１に記載の電力供給システムは、複数の機器を用いて、多くの電力を負荷に供給することができる。
【先行技術文献】
【特許文献】
【０００５】
【特許文献１】特開２０１５−１８６４２７号公報
【発明の概要】
【発明が解決しようとする課題】
【０００６】
しかしながら、特許文献１に記載の電力供給システムにおいて、蓄電池システムが電力を出力していない場合に燃料電池で発電した電力が逆潮流されると、当該蓄電池システムは、この逆潮流を検知し、自らの出力により逆潮流が発生しているとの誤った情報を取得することによって動作を停止してしまう。すなわち、例えば燃料電池が発電した電力を売電するため、負荷追従運転ではなく（負荷の消費電力とは関係ない）所定量の電力を発電させた場合に、蓄電池システムが動作を停止するおそれがある。
【０００７】
このように、特許文献１に記載の電力供給システムにおいては、複数の機器を用いて多くの電力を負荷に供給することができるが、発電装置で発電した電力を系統電源に逆潮流させることができない点で不利である。
【０００８】
本発明は、以上の如き状況を鑑みてなされたものであり、その解決しようとする課題は、複数の機器を用いて多くの電力を負荷に供給すると共に、発電装置で発電した電力を系統電源に逆潮流させることができる電力供給システムを提供するものである。
【課題を解決するための手段】
【０００９】
本発明の解決しようとする課題は以上の如くであり、次にこの課題を解決するための手段を説明する。
【００１０】
即ち、請求項１においては、系統電源と負荷との間に接続される蓄電装置と、所定量の電力を発電可能であって前記系統電源と前記負荷との間において前記蓄電装置よりも前記系統電源側に接続される発電装置と、前記系統電源と前記発電装置との間を流れる電力を検出する検出部と、前記検出部の検出結果に基づいて前記蓄電装置を制御する制御部と、を具備するものである。
【００１１】
請求項２においては、前記蓄電装置は、複数設けられると共に、充電を行う充電モード及び充放電を行わない停止モードを含む動作モードを実行可能に構成され、前記制御部は、各蓄電装置の充電量を積算した積算充電量を算出すると共に、算出した前記積算充電量に基づいて複数の前記蓄電装置が順番に充電を行う場合の充電優先順位を決定し、前記検出部が前記系統電源側へ流れる電力を検出した場合に、前記充電優先順位が最上位の前記蓄電装置を前記充電モードに設定し、それ以外の前記蓄電装置を前記停止モードに設定するものである。
【００１２】
請求項３においては、前記制御部は、前記充電優先順位が最上位の前記蓄電装置を前記充電モードに設定した後、前記検出部が前記系統電源へ流れる電力を検出した場合に、前記停止モードに設定された前記蓄電装置を、決定した前記充電優先順位に基づいて前記充電モードに変更するものである。
【００１３】
請求項４においては、前記制御部は、複数の前記蓄電装置の充電量に関する充電量情報を取得し、取得した前記充電量情報に基づいて、満充電である前記蓄電装置を前記充電優先順位の設定から除外するものである。
【００１４】
請求項５においては、前記蓄電装置が実行可能な前記動作モードは、放電を行う放電モードを含み、前記制御部は、前記各蓄電装置の放電量を積算した積算放電量を算出すると共に、算出した前記積算放電量に基づいて複数の前記蓄電装置が順番に放電を行う場合の放電優先順位を決定し、前記検出部が前記発電装置側へ流れる電力を検出した場合に、前記放電優先順位が最上位の前記蓄電装置を前記放電モードに設定し、それ以外の前記蓄電装置を前記停止モードに設定するものである。
【００１５】
請求項６においては、前記制御部は、前記放電優先順位が最上位の前記蓄電装置を前記放電モードに設定した後、前記検出部が前記発電装置側へ流れる電力を検出した場合に、前記停止モードに設定された前記蓄電装置を、決定した前記放電優先順位に基づいて前記放電モードに変更するものである。
【００１６】
請求項７においては、前記制御部は、複数の前記蓄電装置の充電量に関する充電量情報を取得し、取得した前記充電量情報に基づいて、放電不能な前記蓄電装置を前記放電優先順位の設定から除外するものである。
【発明の効果】
【００１７】
本発明の効果として、以下に示すような効果を奏する。
【００１８】
請求項１においては、複数の機器を用いて多くの電力を負荷に供給すると共に、発電装置で発電した電力を系統電源に逆潮流させることができる。
【００１９】
請求項２においては、複数の蓄電装置の電力を融通可能であると共に、当該複数の蓄電装置間の充電量の偏りを抑制することができる。
【００２０】
請求項３においては、複数の蓄電装置の電力を融通可能であると共に、当該複数の蓄電装置間の充電量の偏りを抑制することができる。
【００２１】
請求項４においては、複数の蓄電装置の電力を融通可能であると共に、当該複数の蓄電装置間の充電量の偏りを抑制することができる。
【００２２】
請求項５においては、複数の蓄電装置の電力を融通可能であると共に、当該複数の蓄電装置間の放電量の偏りを抑制することができる。
【００２３】
請求項６においては、複数の蓄電装置の電力を融通可能であると共に、当該複数の蓄電装置間の放電量の偏りを抑制することができる。
【００２４】
請求項７においては、複数の蓄電装置の電力を融通可能であると共に、当該複数の蓄電装置間の放電量の偏りを抑制することができる。
【図面の簡単な説明】
【００２５】
【図１】本実施形態に係る電力供給システムの構成を示したブロック図。
【図２】電力供給システムの制御に関する構成を示したブロック図。
【図３】均等モードを実行する場合の処理の概要を示したフローチャート。
【図４】同じく、充電に関する制御の処理を示したフローチャート。
【図５】同じく、放電に関する制御の処理を示したフローチャート。
【図６】（ａ）充電優先順位の決定の一例を示す図。（ｂ）放電優先順位の決定の一例を示す図。
【発明を実施するための形態】
【００２６】
以下では、図１及び図２を用いて、本実施形態に係る電力供給システム１について説明する。
【００２７】
電力供給システム１は、複数の戸建住宅（住宅Ｈ）からなる住宅街区Ｔ（住宅Ｈの集合体）に適用することを想定している。具体的には、住宅街区Ｔには、複数の（戸建）住宅Ｈとして、第一住宅Ｈ１、第二住宅Ｈ２、・・、第Ｎ住宅ＨＮが設けられる。住宅街区Ｔにおいては、電力小売事業者が電力会社（系統電源Ｓ）から電力を一括購入し、当該購入した電力が各住宅Ｈに適宜供給（売却）される。
【００２８】
電力供給システム１は、上述の如く、電力小売事業者が電力会社から一括購入した電力を、複数の住宅Ｈ（第一住宅Ｈ１、第二住宅Ｈ２、・・、第Ｎ住宅ＨＮ）間で適宜供給（融通）するためのシステムである。電力供給システム１は、主として複数の燃料電池１０、複数の蓄電装置２０、複数の追従用センサ３０、複数の監視用センサ４０及びＥＭＳ５０を具備する。
【００２９】
複数の住宅Ｈ（第一住宅Ｈ１、第二住宅Ｈ２、・・、第Ｎ住宅ＨＮ）は、人が居住する建物である。各住宅Ｈには適宜の電気製品が設けられ、電力が消費される。
【００３０】
また、各住宅Ｈは、系統電源Ｓと接続される。具体的には、各住宅Ｈは、上流側端部が系統電源Ｓと接続されると共に下流側端部が分岐して各住宅Ｈと接続された配電線Ｌを介して、当該系統電源Ｓと接続される。なお以下では、図１の紙面左側（系統電源Ｓ側）を上流側と称し、図１の紙面右側（複数の住宅Ｈ側）を下流側と称している。
【００３１】
複数の燃料電池１０（第一燃料電池１１、第二燃料電池１２、・・、第Ｎ燃料電池１Ｎ）は、燃料（本実施形態においては、都市ガス）を使用して発電する固体酸化物形燃料電池（ＳＯＦＣ  ：  Ｓｏｌｉｄ  Ｏｘｉｄｅ  Ｆｕｅｌ  Ｃｅｌｌ）である。各燃料電池１０は、図示せぬ制御部等を具備する。各燃料電池１０は、例えば負荷追従運転等を行うのではなく、常に最大出力（所定の電力量）で発電を行うように設定される。本実施形態において、各燃料電池１０の最大出力（最大発電電力）は、７００Ｗに設定される。また、燃料となる都市ガスは、電力小売事業者から例えば無償で提供される。
【００３２】
また、各燃料電池１０は、所定の住宅Ｈに対応するように設けられる（１つの住宅Ｈに対して、１つの燃料電池１０が設けられる）。各燃料電池１０は、前記所定の住宅Ｈ（住宅Ｈの住人）に所有されている。
【００３３】
また、各燃料電池１０は、配電線Ｌの中途部に接続される。具体的には、第一燃料電池１１、第二燃料電池１２、・・、第Ｎ燃料電池１Ｎは、それぞれ配電線Ｌの連結点Ｐｃ１、連結点Ｐｃ２、・・、連結点ＰｃＮに接続される。なお、連結点Ｐｃ１、連結点Ｐｃ２、・・、連結点ＰｃＮは、配電線Ｌにおいて下流側（複数の住宅Ｈ側）から上流側（系統電源Ｓ側）へ向けて順番に配置されている。このように、第一燃料電池１１、第二燃料電池１２、・・、第Ｎ燃料電池１Ｎは、互いに直列に配置される。
【００３４】
複数の蓄電装置２０（第一蓄電装置２１、第二蓄電装置２２、・・、第Ｎ蓄電装置２Ｎ）は、系統電源Ｓからの電力や複数の燃料電池１０からの電力（発電電力）を適宜充放電するものである。各蓄電装置２０は、充放電可能な蓄電池や、当該蓄電装置２０の動作を制御する制御部等を具備する。各蓄電装置２０は、後述の対応する追従用センサ３０の検出結果に基づいて（複数の住宅Ｈ側へと流れる電力に基づいて）、放電（出力）する電力量を調整する負荷追従運転を行うことができる。
【００３５】
また、各蓄電装置２０は、所定の住宅Ｈに対応するように設けられる（１つの住宅Ｈに対して、１つの蓄電装置２０が設けられる）。各蓄電装置２０は、前記所定の住宅Ｈ（住宅Ｈの住人）に所有されている。
【００３６】
また、各蓄電装置２０は、配電線Ｌの中途部に接続される。具体的には、第一蓄電装置２１、第二蓄電装置２２、・・、第Ｎ蓄電装置２Ｎは、それぞれ配電線Ｌの連結点Ｐｅ１、連結点Ｐｅ２、・・、連結点ＰｅＮに接続される。なお、連結点Ｐｅ１、連結点Ｐｅ２、・・、連結点ＰｅＮは、配電線Ｌにおいて下流側（複数の住宅Ｈ側）から上流側（系統電源Ｓ側）へ向けて順番に配置されている。
【００３７】
また、連結点Ｐｅ１、連結点Ｐｅ２、・・、連結点ＰｅＮは、燃料電池１０が接続される連結点Ｐｃ１、連結点Ｐｃ２、・・、連結点ＰｃＮよりも下流側に配置されている。こうして、第一蓄電装置２１、第二蓄電装置２２、・・、第Ｎ蓄電装置２Ｎは、第一燃料電池１１、第二燃料電池１２、・・、第Ｎ燃料電池１Ｎよりも下流側で、互いに直列に配置される。
【００３８】
また、蓄電装置２０は、種々の動作に関するモード（動作モード）を実行可能に構成される。蓄電装置２０の動作モードは、後述するＥＭＳ５０により設定される。動作モードには、充電モードと、放電モードと、停止モードと、が含まれる。
【００３９】
充電モードとは、蓄電装置２０が充電を行うためのモードである。すなわち、充電モードが実行されると、蓄電装置２０は充電を行う（開始する）。また、放電モードとは、蓄電装置２０が放電を行うためのモードである。すなわち、放電モードが実行されると、蓄電装置２０は負荷追従運転により放電を行う（開始する）。また、停止モードとは、蓄電装置２０が充電も放電も行わないためのモードである。すなわち、停止モードが実行されると、蓄電装置２０は、例えば満充電でなく充電可能な状態であっても充電を行わない。また、蓄電装置２０は、停止モードが実行されると、充電量が後述する放電規定値よりも大きくて、且つ、追従用センサ３０が電力を検出した場合であっても放電を行わない。
【００４０】
複数の追従用センサ３０は、配電線Ｌを流れる電力を検出するものである。より詳細には、複数の追従用センサ３０は、蓄電装置２０が負荷追従運転を行うために使用されるセンサである。複数の追従用センサ３０は、検出結果に関する信号を出力可能に構成される。複数の追従用センサ３０は、第一追従用センサ３１、第二追従用センサ３２、・・、第Ｎ追従用センサ３Ｎから構成される。なお、第一追従用センサ３１、第二追従用センサ３２、・・、第Ｎ追従用センサ３Ｎは、配電線Ｌにおいて下流側（複数の住宅Ｈ側）から上流側（系統電源Ｓ側）へ向けて順番に配置されている。これらの追従用センサ３０は、所定の蓄電装置２０に対応するように設けられる。すなわち、１つの蓄電装置２０に対して１つの追従用センサ３０が設けられ、対応する蓄電装置２０と追従用センサ３０とが電気的に接続される。
【００４１】
具体的には、第一追従用センサ３１は、第一蓄電装置２１と電気的に接続される。また、第二追従用センサ３２は、第二蓄電装置２２と電気的に接続される。また、第Ｎ追従用センサ３Ｎは、第Ｎ蓄電装置２Ｎと電気的に接続される。
【００４２】
また、第一追従用センサ３１、第二追従用センサ３２、・・、第Ｎ追従用センサ３Ｎは、それぞれ配電線Ｌにおいて、前記対応する蓄電装置２０が接続された連結点の直ぐ上流側に配置される。具体的には、第一追従用センサ３１、第二追従用センサ３２、・・、第Ｎ追従用センサ３Ｎは、それぞれ配電線Ｌにおいて、連結点Ｐｅ１、連結点Ｐｅ２、・・、連結点ＰｅＮの直ぐ上流側に配置される。
【００４３】
複数の追従用センサ３０は、配電線Ｌを流れる電力を検出するものである。より詳細には、複数の監視用センサ４０は、系統電源Ｓへの逆潮流（又は、系統電源Ｓからの買電）を監視するために使用されるセンサである。複数の監視用センサ４０は、検出結果に関する信号を出力可能に構成される。複数の監視用センサ４０は、第一監視用センサ４１、第二監視用センサ４２、・・、第Ｎ監視用センサ４Ｎから構成される。なお、第一監視用センサ４１、第二監視用センサ４２、・・、第Ｎ監視用センサ４Ｎは、配電線Ｌにおいて下流側（複数の住宅Ｈ側）から上流側（系統電源Ｓ側）へ向けて順番に配置されている。これらの監視用センサ４０は、所定の蓄電装置２０に対応するように設けられる。すなわち、１つの蓄電装置２０に対して１つの監視用センサ４０が設けられ、対応する蓄電装置２０と監視用センサ４０とが電気的に接続される。
【００４４】
具体的には、第一監視用センサ４１は、第一蓄電装置２１と電気的に接続される。また、第二監視用センサ４２は、第二蓄電装置２２と電気的に接続される。また、第Ｎ監視用センサ４Ｎは、第Ｎ蓄電装置２Ｎと電気的に接続される。
【００４５】
また、第一監視用センサ４１、第二監視用センサ４２、・・、第Ｎ監視用センサ４Ｎは、それぞれ配電線Ｌにおいて、燃料電池１０が接続される連結点Ｐｃ１、連結点Ｐｃ２、・・、連結点ＰｃＮよりも上流側に配置されている。こうして、第一監視用センサ４１、第二監視用センサ４２、・・、第Ｎ監視用センサ４Ｎは、配電線Ｌにおいて系統電源Ｓと複数の燃料電池１０との間を流れる電力を検出することができる。
【００４６】
図２に示すＥＭＳ５０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ５０は、ＲＡＭやＲＯＭ等の記憶部や、ＣＰＵ等の演算処理部、Ｉ／Ｏ等の入出力部等を具備する。ＥＭＳ５０は、所定の演算処理や記憶処理等を行うことができる。ＥＭＳ５０には、電力供給システム１の動作を制御する際に用いられる種々の情報やプログラム等が予め記憶される。
【００４７】
また、ＥＭＳ５０は、蓄電装置２０と電気的に接続される。ＥＭＳ５０は、所定の信号を蓄電装置２０に出力し、当該蓄電装置２０の動作を制御することができる。具体的には、ＥＭＳ５０は、蓄電装置２０の動作モードを設定することができる。また、ＥＭＳ５０は、蓄電装置２０から所定の信号が入力可能に構成される。
【００４８】
こうして、ＥＭＳ５０は、蓄電装置２０に関する種々の情報を取得することができる。具体的には、ＥＭＳ５０は、蓄電装置２０の充電量を積算した積算充電量に関する情報を取得することができる。また、ＥＭＳ５０は、蓄電装置２０の放電量を積算した積算放電量に関する情報を取得することができる。また、ＥＭＳ５０は、蓄電装置２０の充電量に関する情報（充電量情報）を取得することができる。なお、前記積算する期間は、例えば直近の２４時間等、任意の期間を設定することができる。
【００４９】
また、ＥＭＳ５０は、複数の監視用センサ４０の検出結果に関する情報を、複数の蓄電装置２０を介して取得することができる。具体的には、ＥＭＳ５０は、例えば系統電源Ｓへ逆潮流が発生していることを示す逆潮流発生情報や、系統電源Ｓからの買電が発生しているこを示す買電発生情報を取得することができる。
【００５０】
また、ＥＭＳ５０は、電力供給システム１の動作に関する複数のモードを実行可能に構成される。前記複数のモードには、通常モード及び均等モードが含まれる。通常モードとは、複数の蓄電装置２０間の充放電量の偏りを許容するモードである。均等モードとは、複数の蓄電装置２０間の充放電量の偏りを抑制する（充放電量の均等化を図る）モードである。なお、通常モード及び均等モードの何れを実行するかは、例えば電力小売事業者によって適宜選択される。
【００５１】
また、ＥＭＳ５０には、蓄電装置２０が放電可能な充電量に関する値（放電規定値）関する情報が予め記憶される。ＥＭＳ５０は、蓄電装置２０の充電量が放電規定値以下である場合には、当該蓄電装置２０は放電を行うことができないと判断する。
【００５２】
なお、蓄電装置２０は、例えば所定の充電時間帯（例えば、２３時から７時までの間）に、系統電源Ｓからの電力を充電するように構成される。こうして、深夜料金が適用された比較的安価な電力を蓄電装置２０に充電し、当該充電した電力を（深夜料金が適用されない）昼間の時間帯に放電することにより、比較的高価な電力の購入量を減少させることができる。なお、蓄電装置２０に充電した電力は、電力小売事業者が電力会社から一括購入した後の電力が分配されたものである。すなわち、蓄電装置２０に充電した電力の料金は、当該蓄電装置２０を所有する住人から電力小売事業者へと支払われる。
【００５３】
以下では、電力供給システム１における電力の供給（融通）態様について説明する。
【００５４】
以下では、前記複数のモードのうち、通常モードが実行された場合における電力の供給（融通）態様について説明する。
【００５５】
複数の燃料電池１０は、常に最大出力（所定の電力量）で発電を行っている。こうして、複数の燃料電池１０で発電された電力は、各住宅Ｈの消費電力に応じて、配電線Ｌを介して当該各住宅Ｈに供給される。複数の燃料電池１０で発電された電力が各住宅Ｈの消費電力に対して余剰した場合、当該余剰した電力は各蓄電装置２０に充電される。また、前記余剰した電力を各蓄電装置２０に充電させる必要がない場合（例えば、各蓄電装置２０が満充電である場合等）は、当該余剰した電力は系統電源Ｓに逆潮流（売電）される。なお、前記余剰した電力を各蓄電装置２０に充電させる制御については、後述にて詳細に説明する。
【００５６】
また、複数の燃料電池１０で発電された電力が各住宅Ｈの消費電力に対して不足した場合には、不足する分の電力として系統電源Ｓからの電力が、配電線Ｌを介して当該各住宅Ｈに供給される。この場合、複数の蓄電装置２０のうち最も下流側の第一蓄電装置２１は、第一追従用センサ３１の検出結果に基づいて負荷追従運転を行って、必要な電力量の電力を放電する。こうして、第一蓄電装置２１から放電された電力は、各住宅Ｈへと供給される。なお、第一蓄電装置２１から電力が放電されると、系統電源Ｓから複数の住宅Ｈ側へ供給される電力が減少する。
【００５７】
また、各住宅Ｈの消費電力が第一蓄電装置２１からの電力だけで賄えない場合には、不足する分の電力が系統電源Ｓから各住宅Ｈに供給される。すなわち、不足する分の電力として系統電源Ｓからの電力が、配電線Ｌを介して各住宅Ｈに供給される。この場合、複数の蓄電装置２０のうち、第一蓄電装置２１よりも一つ上流側の第二蓄電装置２２は、第二追従用センサ３２の検出結果に基づいて負荷追従運転を行って、必要な電力量の電力を放電する。こうして、第二蓄電装置２２から放電された電力は、各住宅Ｈへと供給される。なお、第二蓄電装置２２から電力が放電されると、系統電源Ｓから複数の住宅Ｈ側へ供給される電力がさらに減少する。
【００５８】
このように、通常モードが実行された場合、複数の燃料電池１０で発電した電力だけでは各住宅Ｈの消費電力が賄えない場合に、直前に放電が開始された蓄電装置２０よりも一つ上流側の蓄電装置２０から放電が開始されるという動作が、繰り返し行われる。すなわち、通常モードが実行された場合、複数の蓄電装置２０においては、下流側の蓄電装置２０から上流側の蓄電装置２０へと順次放電が開始されていく。
【００５９】
なお、全ての蓄電装置２０が放電されても各住宅Ｈの消費電力が賄えない場合、不足する分の電力として系統電源Ｓからの電力が、配電線Ｌを介して各住宅Ｈに供給される（系統電源Ｓから購入された電力が、各住宅Ｈへと供給される）。
【００６０】
こうして、通常モードを実行した場合、各燃料電池１０で発電された電力、及び、各蓄電装置２０から放電された電力を、当該燃料電池１０及び蓄電装置２０を所有する住人（住宅Ｈ）だけでなく、その他の住人（住宅Ｈ）へと供給することができる。すなわち、各燃料電池１０で発電された電力、及び、各蓄電装置２０から放電された電力（電力小売事業者が電力会社から一括購入して、各蓄電装置２０に充電させた電力（各住宅Ｈの住人が料金を支払った後の電力））を、複数の住宅Ｈ間で適宜融通することができる。
【００６１】
以下では、複数の燃料電池１０で発電された電力が各住宅Ｈの消費電力に対して余剰した場合において、当該余剰した電力を各蓄電装置２０に充電させる制御について、詳細に説明する。
【００６２】
複数の燃料電池１０で発電された電力が各住宅Ｈの消費電力に対して余剰した場合、余剰した電力は、まず配電線Ｌを介して系統電源Ｓへと流れる。すなわち、前記余剰した電力は、配電線Ｌにおいて、複数の燃料電池１０と系統電源Ｓとの間を、複数の燃料電池１０側から系統電源Ｓ側へと流れる。
【００６３】
ここで、配電線Ｌにおいては、複数の燃料電池１０と系統電源Ｓとの間に、複数の監視用センサ４０が配置されている。複数の監視用センサ４０（第一監視用センサ４１、第二監視用センサ４２、・・、第Ｎ監視用センサ４Ｎ）は、第一監視用センサ４１、第二監視用センサ４２、・・、第Ｎ監視用センサ４Ｎの順番で複数の住宅Ｈ側から系統電源Ｓ側へ向けて配置されている。
【００６４】
したがって、余剰した電力が複数の燃料電池１０と系統電源Ｓとの間を流れる場合、複数の監視用センサ４０のうち、まず第一監視用センサ４１が当該余剰した電力を検出することとなる。こうして、まず第一監視用センサ４１が当該余剰した電力を検出すると、第一蓄電装置２１は、当該第一監視用センサ４１の検出結果に基づいて、複数の燃料電池１０で発電された電力が逆潮流していることを示す逆潮流発生情報を取得する。
【００６５】
こうして、第一蓄電装置２１は、逆潮流発生情報を取得すると、充電を開始する。このように、余剰した電力が複数の燃料電池１０と系統電源Ｓとの間を流れる場合、複数の蓄電装置２０のうち、まず第一蓄電装置２１が充電を開始する。第一蓄電装置２１が充電を開始すると、逆潮流していた電力の一部又は全部が当該第一蓄電装置２１に充電されるため、逆潮流している電力量が減少することとなる。
【００６６】
また、第一蓄電装置２１だけでは逆潮流している電力の全部を充電できない場合には、当該第一蓄電装置２１が充電を開始しても、残りの電力（第一蓄電装置２１が充電しきれなかった電力）が、未だ系統電源Ｓへと逆潮流することとなる。こうして、前記残りの電力は、配電線Ｌにおいて、複数の燃料電池１０と系統電源Ｓとの間を、複数の燃料電池１０側から系統電源Ｓ側へと流れる。
【００６７】
前記残りの電力が複数の燃料電池１０と系統電源Ｓとの間を流れる場合、複数の監視用センサ４０のうち、まず第一監視用センサ４１が当該残り電力を検出することとなる。しかし、第一蓄電装置２１は既に充電を開始しており、それ以上電力を充電することができない。そのため、逆潮流している電力量が減少することなく、次に第二監視用センサ４２が当該残り電力を検出することとなる。こうして、第一蓄電装置２１だけでなく、第二蓄電装置２２が、当該第二監視用センサ４２の検出結果に基づいて、前記逆潮流発生情報を取得する。
【００６８】
こうして、第二蓄電装置２２は、逆潮流発生情報を取得すると、第一蓄電装置２１が充電しきれない電力の充電を開始する。第二蓄電装置２２が充電を開始すると、前記残りの電力（未だ逆潮流している電力）の一部又は全部が当該第二蓄電装置２２に充電されるため、逆潮流している電力量がさらに減少することとなる。
【００６９】
このように、通常モードが実行された場合、系統電源Ｓへの逆潮流が発生している場合に、複数の蓄電装置２０のうち、直前に充電が開始された蓄電装置２０よりも一つ上流側の蓄電装置２０の充電が開始されるという動作が、繰り返し行われる。すなわち、通常モードが実行された場合、複数の蓄電装置２０においては、下流側の蓄電装置２０から上流側の蓄電装置２０へと順次充電が開始されていく。
【００７０】
なお、全ての蓄電装置２０が充電を行っても系統電源Ｓへ逆潮流している場合、当該逆潮流している電力は系統電源Ｓへ売却される（売電が行われる）。
【００７１】
こうして、通常モードを実行した場合、各燃料電池１０で発電された電力を、当該燃料電池１０を所有する住人（住宅Ｈ）の蓄電装置２０だけでなく、その他の住人（住宅Ｈ）の蓄電装置２０へと充電させることができる。すなわち、各燃料電池１０で発電された電力を、複数の住宅Ｈ間で適宜融通することができる。
【００７２】
ここで、通常モードが実行された場合においては、複数の蓄電装置２０の充放電量に偏りが生じるため、問題が生じることがある。
【００７３】
具体的には、上述の如く、通常モードが実行された場合においては、各燃料電池１０で発電された電力だけでは各住宅Ｈの消費電力が賄えない場合に、複数の蓄電装置２０のうち下流側の蓄電装置２０から上流側の蓄電装置２０へと順次放電が開始されていく。したがって、実行期間が長くなるほど、上流側よりも下流側の蓄電装置２０の方が放電量（積算放電量）が多くなっていく。このように、複数の蓄電装置２０間において積算放電量に偏りが生じると、当該複数の蓄電装置２０間における寿命（耐用年数）が不均等となり問題となる。
【００７４】
また、通常モードが実行された場合においては、系統電源Ｓへの逆潮流が発生している場合に、複数の蓄電装置２０のうち下流側の蓄電装置２０から上流側の蓄電装置２０へと順次充電が開始されていく。したがって、実行期間が長くなるほど、上流側よりも下流側の蓄電装置２０の方が充電量（積算充電量）が多くなっていく。このように、複数の蓄電装置２０間において積算充電量に偏りが生じると、当該複数の蓄電装置２０間における寿命（耐用年数）が不均等となり問題となる。
【００７５】
そこで、電力供給システム１においては、上述の如き問題を解決するため、均等モードを実行することができる。均等モードにおいては、複数の蓄電装置２０における積算充電量及び積算放電量の偏りを抑制するため制御（処理）が行われる。
【００７６】
以下では、均等モードが実行された場合におけるＥＭＳ５０の処理について説明する。
【００７７】
まず以下では、図３を用いて、均等モードが実行された場合におけるＥＭＳ５０の処理の概略について説明する。
【００７８】
均等モードが実行された場合、複数の蓄電装置２０の充放電はＥＭＳ５０によって管理される。具体的には、複数の蓄電装置２０の充電又は放電が行われるか否かは、ＥＭＳ５０による動作モードの設定により決定される。
【００７９】
図３に示すように、均等モードが実行されると、ＥＭＳ５０は、まずステップＳ１００において、複数の蓄電装置２０に対する充電モードの設定を決定するための制御（充電に関する制御）を実行する。そして、ＥＭＳ５０は、ステップＳ１００の処理を実行した後、次にステップＳ２００において、複数の蓄電装置２０に対する放電モードの設定を決定するための制御（放電に関する制御）を実行する。
【００８０】
こうして、ＥＭＳ５０は、均等モードが実行されると、充電に関する制御（ステップＳ１００）と、放電に関する制御（ステップＳ２００）とを、順次繰り返すこととなる。
【００８１】
以下では、図４及び図６を用いて、前記充電に関する制御（ステップＳ１００）におけるＥＭＳ５０の処理について、詳細に説明する。
【００８２】
ステップＳ１０１において、ＥＭＳ５０は、各蓄電装置２０の積算充電量及び現在の充電量を確認する。
ＥＭＳ５０は、ステップＳ１０１の処理を実行した後、ステップＳ１０２の処理を実行する。
【００８３】
ステップＳ１０２において、ＥＭＳ５０は、各蓄電装置２０の充電を行うための優先順位（充電優先順位）を決定する。
【００８４】
ここで、図６（ａ）は、決定された充電優先順位の一例を示している。なお、図６（ａ）においては、複数の蓄電装置２０のうち、下流側よりも上流側の蓄電装置２０の方が積算充電量が少なかった場合を示している。このような場合、ＥＭＳ５０は、積算充電量の少ない順番が１番目であった第Ｎ蓄電装置２Ｎの充電優先順位を第１位に決定する。そして、ＥＭＳ５０は、同様に順次充電優先順位を決定していき、積算充電量の少ない順番がＮ番目であった第一蓄電装置２１の充電優先順位を第Ｎ位に決定する。
【００８５】
なお、ＥＭＳ５０は、充電優先順位を決定する場合、満充電となっている蓄電装置２０があれば、当該蓄電装置２０を充電優先順位を決定する対象から外す。すなわち、満充電となっている蓄電装置２０には、充電優先順位が設定されない。
【００８６】
ＥＭＳ５０は、ステップＳ１０２の処理を実行した後、ステップＳ１０３の処理を実行する。
【００８７】
ステップＳ１０３において、ＥＭＳ５０は、現在逆潮流が発生しているか否かを判定する。
具体的には、ＥＭＳ５０は、逆潮流発生情報を取得しているか否かを判定する。
ＥＭＳ５０は、現在逆潮流が発生していると判定した場合には、次にステップＳ１０４の処理を実行する。また、ＥＭＳ５０は、現在逆潮流が発生していないと判定した場合には、充電に関する制御を終了し、次に放電に関する制御を開始する。
【００８８】
なお、現在逆潮流が発生している場合（ステップＳ１０３で「ＹＥＳ」）とは、複数の燃料電池１０で発電された電力が各住宅Ｈの消費電力に対して余剰した場合を示している。
【００８９】
ステップＳ１０４において、ＥＭＳ５０は、複数の蓄電装置２０のうち、充電優先順位が第１位（最上位）である蓄電装置２０を充電モードに設定すると共に、その他の蓄電装置２０を停止モードに設定する。これによって、充電優先順位が第１位（最上位）である蓄電装置２０（例えば、図６（ａ）に示す例においては、第Ｎ蓄電装置２Ｎ）は、充電を開始する。こうして、充電が開始されると、逆潮流していた電力の一部又は全部が当該蓄電装置２０に充電されるため、逆潮流している電力量が減少することとなる。
ＥＭＳ５０は、ステップＳ１０４の処理を実行した後、ステップＳ１０５の処理を実行する。
【００９０】
なお、充電モードに設定された蓄電装置２０が満充電であると判定された場合（ステップＳ１０５で「ＹＥＳ」）には、一旦充電に関する制御を終了するものの、（放電に関する制御の後の）次回の充電に関する制御において、当該満充電であると判定された蓄電装置２０は、充電優先順位が設定されない（充電モードに設定されない）こととなる（ステップＳ１０２参照）。
【００９１】
ステップＳ１０５において、ＥＭＳ５０は、充電モードに設定された蓄電装置２０が満充電であるか否かを判定する。
ＥＭＳ５０は、充電モードに設定された蓄電装置２０が満充電であると判定した場合には、充電に関する制御を終了し、次に放電に関する制御を開始する。また、ＥＭＳ５０は充電モードに設定された蓄電装置２０が満充電ではないと判定した場合には、次にステップＳ１０６の処理を実行する。
【００９２】
ステップＳ１０６において、ＥＭＳ５０は、現在逆潮流が発生しているか否かを判定する。
具体的には、ＥＭＳ５０は、逆潮流発生情報を取得しているか否かを判定する。
ＥＭＳ５０は、現在逆潮流が発生していると判定した場合には、次にステップＳ１０７の処理を実行する。また、ＥＭＳ５０は、現在逆潮流が発生していないと判定した場合には、再びステップＳ１０５の処理を実行する。
【００９３】
ステップＳ１０７において、ＥＭＳ５０は、ステップＳ１０２で決定した充電優先順位に基づいて、現在停止モードである蓄電装置２０のうち、最も充電優先順位が高い蓄電装置２０を充電モードに変更する。例えば、図６（ａ）に示す例において、第Ｎ蓄電装置２Ｎを充電モードに設定した後であれば、残りの複数の蓄電装置２０のうち、最も充電優先順位が高い第Ｎ−１蓄電装置を充電モードに変更する。
ＥＭＳ５０は、ステップＳ１０７の処理を実行した後、ステップＳ１０８の処理を実行する。
【００９４】
なお、現在逆潮流が発生していないと判定した場合（ステップＳ１０６で「ＮＯ」）とは、現在の複数の蓄電装置２０に対する動作モード（充電モード）の設定により、逆潮流していた電力の全部が何れかの蓄電装置２０に充電されたため、逆潮流している電力量が０になったことを示している。この場合、現在充電モードに設定された一又は複数の蓄電装置２０の何れかが満充電となると、逆潮流が再開される可能性がある。そこで、現在逆潮流が発生していないと判定した場合（ステップＳ１０６で「ＮＯ」）には、再びステップＳ１０５の処理を実行することにより、現在充電モードに設定された一又は複数の蓄電装置２０の何れかが満充電となったか否かを判定する。
【００９５】
また、現在逆潮流が発生していると判定した場合（ステップＳ１０６で「ＹＥＳ」）とは、現在の複数の蓄電装置２０に対する動作モード（充電モード）の設定では、逆潮流していた電力の全部が充電されていないことを示している。この場合、充電を行う蓄電装置２０を増やすために、現在停止モードである蓄電装置２０のうち、最も充電優先順位が高い蓄電装置２０を充電モードに変更する（ステップＳ１０７）。こうして、新たに充電モードに変更された蓄電装置２０の充電が開始されると、逆潮流していた電力の一部又は全部が当該蓄電装置２０に充電されるため、逆潮流している電力量が減少することとなる。
【００９６】
ステップＳ１０８において、ＥＭＳ５０は、充電優先順位の最後（最下位）の蓄電装置２０が充電モードとなっているか否かを判定する。すなわち、充電優先順位が決定された全ての蓄電装置２０が充電モードとなっているか否かを判定する。
ＥＭＳ５０は、充電優先順位の最後（最下位）の蓄電装置２０が充電モードとなっていると判定した場合には、充電に関する制御を終了し、次に放電に関する制御を開始する。また、ＥＭＳ５０は、充電優先順位の最後（最下位）の蓄電装置２０が充電モードとなっていないと判定した場合には、再びステップＳ１０５の処理を実行する。
【００９７】
なお、現在逆潮流が発生していると判定した場合（ステップＳ１０６で「ＹＥＳ」）であって、且つ現在停止モードである蓄電装置２０のうち、最も充電優先順位が高い蓄電装置２０を充電モードに変更した場合（ステップＳ１０７）であって、充電優先順位の最後（最下位）の蓄電装置２０が充電モードになっていると判定した場合（ステップＳ１０８で「ＹＥＳ」）には、逆潮流していた電力の全部を複数の蓄電装置２０が充電できない場合を示している。このような場合には、逆潮流された電力が、系統電源Ｓに売電されることとなる。
【００９８】
また、現在逆潮流が発生していると判定した場合（ステップＳ１０６で「ＹＥＳ」）であって、且つ現在停止モードである蓄電装置２０のうち、最も充電優先順位が高い蓄電装置２０を充電モードに変更した場合（ステップＳ１０７）であって、充電優先順位の最後（最下位）の蓄電装置２０が充電モードになってないと判定した場合（ステップＳ１０８で「ＮＯ」）には、現在停止モードである蓄電装置２０を充電モードに変更可能である場合を示している。このような場合には、再びステップＳ１０５から順番に処理を実行し、ステップＳ１０７の処理において現在停止モードである蓄電装置２０を充電モードに変更する。
【００９９】
以下では、図５及び図６を用いて、前記放電に関する制御（ステップＳ２００）におけるＥＭＳ５０の処理について、詳細に説明する。
【０１００】
ステップＳ２０１において、ＥＭＳ５０は、各蓄電装置２０の積算放電量及び現在の充電量（放電規定値）を確認する。
ＥＭＳ５０は、ステップＳ２０１の処理を実行した後、ステップＳ２０２の処理を実行する。
【０１０１】
ステップＳ２０２において、ＥＭＳ５０は、各蓄電装置２０の放電を行うための優先順位（放電優先順位）を決定する。
【０１０２】
ここで、図６（ｂ）は、決定された放電優先順位の一例を示している。なお、図６（ｂ）においては、複数の蓄電装置２０のうち、下流側よりも上流側の蓄電装置２０の方が積算放電量が少なかった場合を示している。このような場合、ＥＭＳ５０は、積算放電量の少ない順番が１番目であった第Ｎ蓄電装置２Ｎの放電優先順位を第１位に決定する。そして、ＥＭＳ５０は、同様に順次放電優先順位を決定していき、積算放電量の少ない順番がＮ番目であった第一蓄電装置２１の放電優先順位を第Ｎ位に決定する。
【０１０３】
なお、ＥＭＳ５０は、放電優先順位を決定する場合、充電量が放電規定値以下の蓄電装置２０（充電量が放電不能な量である蓄電装置２０）があれば、当該蓄電装置２０を放電優先順位を決定する対象から外す。すなわち、充電量が放電規定値以下の蓄電装置２０には、放電優先順位が設定されない。
【０１０４】
ＥＭＳ５０は、ステップＳ２０２の処理を実行した後、ステップＳ２０３の処理を実行する。
【０１０５】
ステップＳ２０３において、ＥＭＳ５０は、現在買電が発生しているか否かを判定する。
具体的には、ＥＭＳ５０は、買電発生情報を取得しているか否かを判定する。
ＥＭＳ５０は、現在買電が発生していると判定した場合には、次にステップＳ２０４の処理を実行する。また、ＥＭＳ５０は、現在買電が発生していないと判定した場合には、放電に関する制御を終了し、次に充電に関する制御を開始する。
【０１０６】
なお、現在買電が発生している場合（ステップＳ２０３で「ＹＥＳ」）とは、複数の燃料電池１０で発電された電力だけでは各住宅Ｈの消費電力に対して不足した場合を示している。
【０１０７】
ステップＳ２０４において、ＥＭＳ５０は、複数の蓄電装置２０のうち、放電優先順位が第１位（最上位）である蓄電装置２０を放電モードに設定すると共に、その他の蓄電装置２０を停止モードに設定する。これによって、放電優先順位が第１位（最上位）である蓄電装置２０（例えば、図６（ｂ）に示す例においては、第Ｎ蓄電装置２Ｎ）は、放電を開始する。こうして、放電が開始されると、不足した電力を補うための電力として各住宅Ｈに供給されるため、前記不足している電力量が減少することとなる。
ＥＭＳ５０は、ステップＳ２０４の処理を実行した後、ステップＳ２０５の処理を実行する。
【０１０８】
ステップＳ２０５において、ＥＭＳ５０は、放電モードに設定された蓄電装置２０の充電量が放電規定値以下であるか否かを判定する。
ＥＭＳ５０は、放電モードに設定された蓄電装置２０の充電量が放電規定値以下であると判定した場合には、放電に関する制御を終了し、次に充電に関する制御を開始する。また、ＥＭＳ５０は、放電モードに設定された蓄電装置２０の充電量が放電規定値よりも大きいと判定した場合には、次にステップＳ２０６の処理を実行する。
【０１０９】
なお、放電モードに設定された蓄電装置２０の充電量が放電規定値以下であると判定された場合（ステップＳ２０５で「ＹＥＳ」）には、一旦放電に関する制御を終了するものの、（充電に関する制御の後の）次回の放電に関する制御において、当該放電規定値以下であると判定された蓄電装置２０は、放電優先順位が設定されない（放電モードに設定されない）こととなる（ステップＳ２０２参照）。
【０１１０】
ステップＳ２０６において、ＥＭＳ５０は、現在買電が発生しているか否かを判定する。
具体的には、ＥＭＳ５０は、買電発生情報を取得しているか否かを判定する。
ＥＭＳ５０は、現在買電が発生していると判定した場合には、次にステップＳ２０７の処理を実行する。また、ＥＭＳ５０は、現在買電が発生していないと判定した場合には、再びステップＳ２０５の処理を実行する。
【０１１１】
ステップＳ２０７において、ＥＭＳ５０は、ステップＳ２０２で決定した放電優先順位に基づいて、現在停止モードである蓄電装置２０のうち、最も放電優先順位が高い蓄電装置２０を放電モードに変更する。例えば、図６（ｂ）に示す例において、第Ｎ蓄電装置２Ｎを放電モードに設定した後であれば、残りの複数の蓄電装置２０のうち、最も放電優先順位が高い第Ｎ−１蓄電装置を放電モードに変更する。
ＥＭＳ５０は、ステップＳ２０７の処理を実行した後、ステップＳ２０８の処理を実行する。
【０１１２】
なお、現在買電が発生していないと判定した場合（ステップＳ２０６で「ＮＯ」）とは、現在の複数の蓄電装置２０に対する動作モード（放電モード）の設定により、不足していた電力の全部が一又は複数の蓄電装置２０の放電によって賄われたため、買電している電力量が０になったことを示している。この場合、現在放電モードに設定された一又は複数の蓄電装置２０の何れかの充電量が放電規定値以下となると、買電が再開される可能性がある。そこで、現在買電が発生していないと判定した場合（ステップＳ２０６で「ＮＯ」）には、再びステップＳ２０５の処理を実行することにより、現在放電モードに設定された一又は複数の蓄電装置２０の何れかの充電量が放電規定値以下となったか否かを判定する。
【０１１３】
また、現在買電が発生していると判定した場合（ステップＳ２０６で「ＹＥＳ」）とは、現在の複数の蓄電装置２０に対する動作モード（放電モード）の設定では、不足していた電力の全てが賄われていないことを示している。この場合、放電を行う蓄電装置２０を増やすために、現在停止モードである蓄電装置２０のうち、最も放電優先順位が高い蓄電装置２０を放電モードに変更する（ステップＳ２０７）。こうして、新たに放電モードに変更された蓄電装置２０の放電が開始されると、買電していた電力の一部又は全部が当該蓄電装置２０によって補われるため、買電している電力量が減少することとなる。
【０１１４】
ステップＳ２０８において、ＥＭＳ５０は、放電優先順位の最後（最下位）の蓄電装置２０が放電モードとなっているか否かを判定する。すなわち、放電優先順位が決定された全ての蓄電装置２０が放電モードとなっているか否かを判定する。
ＥＭＳ５０は、放電優先順位の最後（最下位）の蓄電装置２０が放電モードとなっていると判定した場合には、放電に関する制御を終了し、次に充電に関する制御を開始する。また、ＥＭＳ５０は、放電優先順位の最後（最下位）の蓄電装置２０が放電モードとなっていないと判定した場合には、再びステップＳ２０５の処理を実行する。
【０１１５】
なお、現在買電が発生していると判定した場合（ステップＳ２０６で「ＹＥＳ」）であって、且つ現在停止モードである蓄電装置２０のうち、最も放電優先順位が高い蓄電装置２０を放電モードに変更した場合（ステップＳ２０７）であって、放電優先順位の最後（最下位）の蓄電装置２０が放電モードとなっていると判定した場合（ステップＳ２０８で「ＹＥＳ」）には、買電していた電力の全部が複数の蓄電装置２０からの電力で賄えない場合を示している。このような場合には、系統電源Ｓからの買電は継続されることとなる。
【０１１６】
また、現在買電が発生していると判定した場合（ステップＳ２０６で「ＹＥＳ」）であって、且つ現在停止モードである蓄電装置２０のうち、最も放電優先順位が高い蓄電装置２０を放電モードに変更した場合（ステップＳ２０７）であって、放電優先順位の最後（最下位）の蓄電装置２０が放電モードとなってないと判定した場合（ステップＳ２０８で「ＮＯ」）には、現在停止モードである蓄電装置２０を放電モードに変更可能である場合を示している。このような場合には、再びステップＳ２０５から順番に処理を実行し、ステップＳ２０７の処理において現在停止モードである蓄電装置２０を放電モードに変更することとなる。
【０１１７】
こうして、均等モードが実行された場合、前記充電に関する制御（ステップＳ１００）を行うことによって、充電優先順位に基づいて（すなわち、蓄電装置２０の積算充電量が少ない順番に）、当該蓄電装置２０を充電させることができる。こうして、複数の蓄電装置２０間において積算充電量に偏りが生じるのを抑制でき、ひいては当該複数の蓄電装置２０間における寿命（耐用年数）が不均等の解消を図ることができる。
【０１１８】
また、均等モードが実行された場合、前記放電に関する制御（ステップＳ２００）を行うことによって、放電優先順位に基づいて（すなわち、蓄電装置２０の積算放電量が少ない順番に）、当該蓄電装置２０を放電させることができる。こうして、複数の蓄電装置２０間において積算放電量に偏りが生じるのを抑制でき、ひいては当該複数の蓄電装置２０間における寿命（耐用年数）が不均等の解消を図ることができる。
【０１１９】
以上のように、本実施形態に係る電力供給システム１は、
系統電源Ｓと複数の住宅Ｈ（負荷）との間に接続される蓄電装置２０と、
所定量の電力を発電可能であって前記系統電源Ｓと前記複数の住宅Ｈ（負荷）との間において前記蓄電装置２０よりも前記系統電源Ｓ側に接続される燃料電池１０と、
前記系統電源Ｓと前記燃料電池１０との間を流れる電力を検出する監視用センサ４０と、
前記監視用センサ４０の検出結果に基づいて前記蓄電装置２０を制御するＥＭＳ５０（又は蓄電装置２０の制御部）と、
を具備するものである。
【０１２０】
このような構成により、燃料電池１０が発電した電力を系統電源Ｓに逆潮流（売電）させたい場合、すなわち、燃料電池１０が負荷追従運転を行うのではなく（負荷が必要とする電力とは関係なく）最大出力の電力を発電する場合であっても、蓄電装置２０が自らの放電によって逆潮流が発生しているとの誤った情報を取得しないため、当該蓄電装置２０が停止する等の不都合が発生するのを防止することができる。すなわち、蓄電装置２０や燃料電池１０という複数の機器を用いて多くの電力を複数の住宅Ｈ（負荷）に供給すると共に、燃料電池１０で発電した電力を系統電源Ｓに逆潮流させることができる。
【０１２１】
また、電力供給システム１においては、
前記蓄電装置２０は、複数設けられると共に、充電を行う充電モード及び充放電を行わない停止モードを含む動作モードを実行可能に構成され、
前記ＥＭＳ５０（制御部）は、
各蓄電装置２０の充電量を積算した積算充電量を算出すると共に、算出した前記積算充電量に基づいて複数の前記蓄電装置２０が順番に充電を行う場合の充電優先順位を決定し（ステップＳ１０１、ステップＳ１０２）、
前記監視用センサ４０が前記系統電源Ｓ側へ流れる電力を検出した場合に、
前記充電優先順位が最上位の前記蓄電装置２０を前記充電モードに設定し、それ以外の前記蓄電装置２０を前記停止モードに設定するものである（ステップＳ１０３で「ＹＥＳ」、ステップＳ１０４）。
【０１２２】
このような構成により、複数の蓄電装置２０の電力を融通可能であると共に、当該複数の蓄電装置２０間の充電量の偏りを抑制することができる。
具体的には、充電優先順位の最上位の蓄電装置２０を充電させることができる。こうして、複数の蓄電装置２０間において積算充電量に偏りが生じるのを抑制でき、ひいては当該複数の蓄電装置２０間における寿命（耐用年数）が不均等の解消を図ることができる。
【０１２３】
また、電力供給システム１においては、
前記ＥＭＳ５０（制御部）は、
前記充電優先順位が最上位の前記蓄電装置２０を前記充電モードに設定した後、
前記監視用センサ４０が前記系統電源Ｓへ流れる電力を検出した場合に、
前記停止モードに設定された前記蓄電装置２０を、決定した前記充電優先順位に基づいて前記充電モードに変更するものである。
【０１２４】
このような構成により、複数の蓄電装置２０の電力を融通可能であると共に、当該複数の蓄電装置２０間の充電量の偏りを抑制することができる。
具体的には、充電優先順位の決定に従って、順番に蓄電装置２０を充電させることができる。こうして、複数の蓄電装置２０間において積算充電量に偏りが生じるのを抑制でき、ひいては当該複数の蓄電装置２０間における寿命（耐用年数）が不均等の解消を図ることができる。
【０１２５】
また、電力供給システム１においては、
前記ＥＭＳ５０（制御部）は、
複数の前記蓄電装置２０の充電量に関する充電量情報を取得し、
取得した前記充電量情報に基づいて、満充電である前記蓄電装置２０を前記充電優先順位の設定から除外するものである。
【０１２６】
このような構成により、複数の蓄電装置２０の電力を融通可能であると共に、当該複数の蓄電装置２０間の充電量の偏りを抑制することができる。
具体的には、実際には充電できない蓄電装置２０を充電優先順位の設定から除外することができるため、充電優先順位に従ってより確実に蓄電装置２０を充電させることができる。こうして、複数の蓄電装置２０間において積算充電量に偏りが生じるのを抑制でき、ひいては当該複数の蓄電装置２０間における寿命（耐用年数）が不均等の解消を図ることができる。
【０１２７】
また、電力供給システム１においては、
前記蓄電装置２０が実行可能な前記動作モードは、放電を行う放電モードを含み、
前記ＥＭＳ５０（制御部）は、
前記各蓄電装置２０の放電量を積算した積算放電量を算出すると共に、算出した前記積算放電量に基づいて複数の前記蓄電装置２０が順番に放電を行う場合の放電優先順位を決定し、
前記監視用センサ４０が前記燃料電池１０側へ流れる電力を検出した場合に、
前記放電優先順位が最上位の前記蓄電装置２０を前記放電モードに設定し、それ以外の前記蓄電装置２０を前記停止モードに設定するものである。
【０１２８】
このような構成により、複数の蓄電装置２０の電力を融通可能であると共に、当該複数の蓄電装置２０間の放電量の偏りを抑制することができる。
具体的には、放電優先順位の最上位の蓄電装置２０を放電させることができる。こうして、複数の蓄電装置２０間において積算放電量に偏りが生じるのを抑制でき、ひいては当該複数の蓄電装置２０間における寿命（耐用年数）が不均等の解消を図ることができる。
【０１２９】
また、電力供給システム１においては、
前記ＥＭＳ５０（制御部）は、
前記放電優先順位が最上位の前記蓄電装置２０を前記放電モードに設定した後、
前記監視用センサ４０が前記燃料電池１０側へ流れる電力を検出した場合に、
前記停止モードに設定された前記蓄電装置２０を、決定した前記放電優先順位に基づいて前記放電モードに変更するものである。
【０１３０】
このような構成により、複数の蓄電装置２０の電力を融通可能であると共に、当該複数の蓄電装置２０間の放電量の偏りを抑制することができる。
具体的には、放電優先順位の決定に従って、順番に蓄電装置２０を放電させることができる。こうして、複数の蓄電装置２０間において積算放電量に偏りが生じるのを抑制でき、ひいては当該複数の蓄電装置２０間における寿命（耐用年数）が不均等の解消を図ることができる。
【０１３１】
また、電力供給システム１においては、
前記ＥＭＳ５０（制御部）は、
複数の前記蓄電装置２０の充電量に関する充電量情報を取得し、
取得した前記充電量情報に基づいて、放電不能な前記蓄電装置２０を前記放電優先順位の設定から除外するものである。
【０１３２】
このような構成により、複数の蓄電装置２０の電力を融通可能であると共に、当該複数の蓄電装置２０間の放電量の偏りを抑制することができる。
具体的には、実際には放電できない蓄電装置２０を放電優先順位の設定から除外することができるため、放電優先順位に従ってより確実に蓄電装置２０を放電させることができる。こうして、複数の蓄電装置２０間において積算充電量に偏りが生じるのを抑制でき、ひいては当該複数の蓄電装置２０間における寿命（耐用年数）が不均等の解消を図ることができる。
【０１３３】
なお、ＥＭＳ５０及び蓄電装置２０の制御部は、制御部の実施の一形態である。
また、監視用センサ４０は、検出部の実施の一形態である。
【０１３４】
以上、一実施形態を説明したが、本発明は上記構成に限定されるものではなく、特許請求の範囲に記載された発明の範囲内で種々の変更が可能である。
【０１３５】
例えば、上記実施形態においては、住宅街区Ｔにおいて電力小売事業者（中間業者）が電力会社（系統電源Ｓ）から電力を一括購入し、当該購入した電力が各住宅Ｈに売却されるものとしたが、電力小売事業者が電力会社から電力を一括購入するものでなくてもよい。
【０１３６】
また、建物は住宅（人の居住を目的とするもの）に限らず、その他種々の建物であってもよい。
【０１３７】
また、電力供給システム１の制御を行う制御部は、ＥＭＳ５０及び蓄電装置２０の制御部に限定するものではない。すなわち、例えば蓄電装置２０の制御を行うものは、当該蓄電装置２０の制御部であっても、ＥＭＳ５０であってもよい。
【０１３８】
また、監視用センサ４０及び追従用センサ３０による検出結果は、ＥＭＳ５０及び蓄電装置２０の制御部が直接取得するものであってもよい。また、蓄電装置２０の積算放電量及び積算充電量は、蓄電装置２０の制御部により算出される構成や、ＥＭＳ５０により算出される構成の何れであってもよい。
【０１３９】
また、１つの住宅Ｈに対して１つの燃料電池１０が設けられるものとして説明を行ったが、燃料電池１０は例えば２つの住宅Ｈに対して１つ設けられるもの（複数の住宅Ｈが共有するもの）でもよい。
【０１４０】
また、燃料電池１０は、常に最大出力で発電を行うように設定されていたが、所定の電力量で発電を行うことができるならば、最大出力に対して少ない割合（例えば、９０％等）で発電を行うように設定されてもよい。また、燃料電池１０は、最大発電電力が７００Ｗであるものに限定しない。また、燃料電池１０は、固体酸化物形燃料電池であるとして説明を行ったが、種々の方式の燃料電池を使用することができる。また、発電装置は、燃料電池に限定するものではなく、所定量の発電を行うことができる種々の機器を使用することができる。また、発電装置は、都市ガスを燃料とするのではなく、電気等の異なる燃料を用いるものであってもよい。
【０１４１】
また、燃料電池１０や蓄電装置２０は、各住宅Ｈの専有部ではなく、住宅街区Ｔの共用部に設置することもできる。このような構成により、各住宅Ｈの専有部のスペースを有効活用することができる。
【０１４２】
また、各住宅Ｈは、自然エネルギーにより発電を行う発電装置（例えば、太陽光発電装置）を有していてもよい。このように、各住宅Ｈが太陽光発電装置を有する場合（すなわち、電力供給システム１が複数の太陽光発電装置を具備する場合）、当該複数の太陽光発電装置は、配電線Ｌにおける監視用センサ４０と燃料電池１０との間に接続されることが望ましい。このような構成にすると、本実施形態に係る均等モードを実行した場合、上述の如き実施形態（太陽光発電装置を有さない構成）と同様に、複数の蓄電装置２０間の充電量及び放電量の偏りを抑制することができる。
【符号の説明】
【０１４３】
１      電力供給システム
１０    燃料電池
２０    蓄電装置
４０    監視用センサ
５０    ＥＭＳ
Ｈ      住宅
Ｓ      系統電源
【図１】
2018057152.tif 000003
【図２】
2018057152.tif 000004
【図３】
2018057152.tif 000005
【図４】
2018057152.tif 000006
【図５】
2018057152.tif 000007
【図６】
2018057152.tif 000008